【事件の表示】
　平成　４年特許願第　６５３０４号「フィルム焼付装置及びフィルム焼付方法」拒絶査定に対する審判事件［平成　５年１０月１５日出願公開、特開平　５−２６５０９９］について、次のとおり審決する。
【結　論】
　本件審判の請求は、成り立たない。
【理　由】
１．手続の経緯・本願発明
　本願は、平成４年３月２３日出願の特願平４−６５３０４号であって、その請求項１に係る発明は、平成１３年７月３０日付けの手続補正書により補正された明細書及び図面の記載からみて、特許請求の範囲の請求項１に記載された次のとおりのものと認める。（以下、「本願発明」という）
「撮影有効エリアと側辺との間の一方に撮影者により情報が記録された写真フィルムの他方の端縁上に記録された撮影有効エリア上の焼付けすべきコマを選択する撮影有効エリア位置信号と焼付けすべきコマの長さを示す撮影有効エリア幅信号を検出する検出手段と、
　前記撮影有効エリア位置信号により前記写真フィルムの送り制御するフィルム送り制御装置と、
　前記写真フィルムの他方の端縁上に記録された前記撮影有効エリア幅信号により焼付開口部の長さを制御する焼付用開口幅制御装置と、
　演算装置とを有し、
　前記演算装置により前記端縁上に記録された前記撮影有効エリア位置信号及び撮影有効エリア幅信号の検出誤りを防止するための判別を行った後、制御を行うことを特徴とするフィルム焼付装置。」
　
２．引用例
　これに対して、原査定の拒絶の理由で引用された、本願の出願日前の平成３年５月２日に頒布された特開平３−１０５３３６号公報（以下、「引用例１」という）には、次の事項が記載されている。
（１）本発明は、フィルム上に記録されたトリミング情報に基づいてトリミングプリントを行うトリミングプリントシステムの改良に関するものである。（公報第１頁右下欄）
（２）第１図に示されているように、トリミング中心位置を特定する横基準位置マーク２８ａ、縦基準位置マーク２８ｂと、画角サイズを特定する画角マーク２９をネガフィルム３０のサイドにプリントする。なお、横基準位置マーク２８ａと縦基準位置マーク２８ｂは、確定したトリミング枠３８の各辺の中心に記録され、容易にトリミング中心位置を検出できるようになっている。（公報第２頁左下欄から右下欄）
（３）フィルムキャリア４４の左横にはデータ読み取り装置５８が配置され、ネガフィルム３０のプリント位置より１コマ手前のコマに記録されたトリミングマーク２８ａ、２８ｂ及び２９を検出する。このデータ読み取り装置５８は、第１図に示されているように、横基準位置マーク２８ａを検出する第１イメージセンサ５８ａと、縦基準位置マーク２８ｂを検出する第２イメージセンサ５８ｂと、画画マーク２９を検出する第３イメージセンサ５８ｃとから構成されている。（公報第３頁右上欄）
（４）トリミングプリントを行う場合には、データ読み取り装置５８の第１イメージセンサ５８ａと第２イメージセンサ５８ｂの基準位置情報に基づき、パルスモータ４８を駆動してフィルムキャリア４４を移動させて、トリミング中心をプリント中心位置に位置合わせする。また、第３イメージセンサ５８ｃの画角情報（選択されたトリミング枠Ｈ１〜Ｈ３，Ｖ１〜Ｖ３）に該当するデータをメモリ８７ａから読み出し、このデータに基づいてパルスモータ６６，６８の駆動を制御して焼付け倍率を調節するとともに、これに併せてパルスモータ７４を制御してカラーペーパー６４の移送調整を行う。（公報第４頁左上欄から右上欄）
（５）また、メモリ８７ａのデータに基づいてズームレンズ６０を駆動して焦点距離を調整し、ペーパーマスク６２を駆動して焼付け範囲を調整する（公報第４頁右下欄）
　
　　第１図、第４図も参照すると、引用例１には、ネガフィルム３０のサイドにプリントされたトリミング中心位置を特定する横基準位置マーク２８ａ、縦基準位置マーク２８ｂと、画角サイズを特定する画角マーク２９を検出するデータ読み取り装置５８と、
　コントローラ８７とを有し、
　横基準位置マーク２８ａを検出する第１イメージセンサ５８ａと、縦基準位置マーク２８ｂを検出する第２イメージセンサ５８ｂの基準位置情報に基づき、パルスモータ４８を駆動してフィルムキャリア４４を移動させて、トリミング中心をプリント中心位置に位置合わせし、
　画角マーク２９を検出する第３イメージセンサ５８ｃの画角情報（選択されたトリミング枠Ｈ１〜Ｈ３，Ｖ１〜Ｖ３）に該当するデータをメモリ８７ａから読み出し、このデータに基づいてパルスモータ６６，６８の駆動を制御して焼付け倍率を調節するとともに、これに併せてパルスモータ７４を制御してカラーペーパー６４の移送調整を行い、ズームレンズ６０を駆動して焦点距離を調整し、ペーパーマスク６２を駆動して焼付け範囲を調整する、トリミングプリントシステム、が記載されている。　
　
３．対比                     
　本願発明と、引用例１に記載された発明とを対比すると、引用例１の「ネガフィルム３０のサイド」、「横基準位置マーク２８ａ」、「画角マーク２９」、「データ読み取り装置５８」及び「コントローラ８７」が、本願発明の「撮影有効エリアと側辺との間」、「撮影有効エリア位置信号」、「撮影有効エリア幅信号」、「検出手段」及び「演算装置」に相当する（「横基準位置マーク２８ａ」、「撮影有効エリア位置信号」は、ともに焼付けすべきコマの中心を表すマークであって、フィルムの送りを制御して焼付けすべきコマの位置を特定するものであり、「画角マーク２９」、「撮影有効エリア幅信号」は、ともに焼付けすべきコマの長さを示すものである。）。また、上記記載事項（４）の「基準位置情報に基づき、パルスモータ４８を駆動してフィルムキャリア４４を移動させて、トリミング中心をプリント中心位置に位置合わせする。」の記載から、フィルム送り制御装置を有すること、上記記載事項（４）の「画角情報（選択されたトリミング枠Ｈ１〜Ｈ３，Ｖ１〜Ｖ３）に該当するデータをメモリ８７ａから読み出し」、上記記載事項（５）の「メモリ８７ａのデータに基づいてズームレンズ６０を駆動して焦点距離を調整し、ペーパーマスク６２を駆動して焼付け範囲を調整する」の記載から、焼付用開口幅制御装置を有することが明らかである。また、引用例１のトリミングプリントシステムがフィルム焼付け装置であることも明らかである。
　したがって、両者は「写真フィルムの撮影有効エリアと側辺との間に記録された撮影有効エリア上の焼付けすべきコマを選択する撮影有効エリア位置信号と焼付けすべきコマの長さを示す撮影有効エリア幅信号を検出する検出手段と、
　前記撮影有効エリア位置信号により前記写真フィルムの送り制御するフィルム送り制御装置と、
　前記写真フィルムの端縁上に記録された前記撮影有効エリア幅信号により焼付開口部の長さを制御する焼付用開口幅制御装置と、
　演算装置とを有する、
　ことを特徴とするフィルム焼付装置。」である点で一致し、以下の点で相違する。
　
相違点１；本願発明は、写真フィルムが「撮影有効エリアと側辺との間の一方に撮影者により情報が記録された写真フィルム」であるのに対し、引用例１には、その点の記載がない点。
　
相違点２；本願発明は、「焼付けすべきコマを選択する撮影有効エリア位置信号と焼付けすべきコマの長さを示す撮影有効エリア幅信号」が、撮影有効エリアと側辺との間の一方に撮影者により情報が記録された写真フィルムの他方の端縁上に記録されているのに対し、引用例１では、「撮影有効エリア位置信号」、「撮影有効エリア幅信号」に相当する「横基準位置マーク２８ａ」、「画角マーク２９」が、フィルムの上下端縁上に分かれて記録されている点。
　
相違点３；本願発明が、「演算装置により前記端縁上に記録された前記撮影有効エリア位置信号及び撮影有効エリア幅信号の検出誤りを防止するための判別を行った後、制御を行う」のに対し、引用例１には、その点の記載がない点。
　
４．当審の判断
　上記相違点について検討する。
　相違点１について；フィルムの端縁上に、撮影者により情報が記録された写真フィルムは、従来周知の技術事項（特開平２−１４９８３４号公報、特開平２−１３６８４０号公報、特開昭６２−６２３４２号公報、特開平４−５６４１号公報参照）であり、引用例１のものと組み合わせることに格別の阻害要因はなく、そのようにすることは、当業者にとって容易なことである。
　
　相違点２について；撮影有効エリア外に、「撮影者により記録された情報」、「撮影有効エリア位置信号」、「撮影有効エリア幅信号」を記録する場合に、それらをどのように配置するかは、それらの検出手段の配置、他の機器の配置などから当業者が必要に応じて決定し得る設計事項である。
　
　相違点３について；信号の検出誤りを防止するための判断を行った後、制御を行うことは、従来周知の技術事項（特公昭５６−６０３１号公報、特開昭５４−２９９２８号公報、実願昭５７−１４０４２９号（実開昭５９−４５６６７号公報）のマイクロフィルム、実願昭６０−２０１４１４号（実開昭６２−１０８８１０号公報）のマイクロフィルム参照）であり、引用例１のものと組み合わせることに格別の阻害要因はなく、そのようにすることは、当業者にとって容易なことである。
　また、本願発明の効果も引用例１の記載、及び上記の周知技術から予測される程度のものにすぎない。
  
５．むすび
　したがって、本願発明は、上記引用例１に記載された発明及び周知の技術に基づいて当業者が容易に発明をすることができたものと認められるから、特許法第２９条第２項の規定により特許を受けることができない。
　よって、結論のとおり審決する。